(57)【要約】【課題】無線アクセスネットワークを用いて実行する場合に、通信アプリケーションにD2D通信が可能か否かを速やかに認識させることができる通信システム、電話帳サーバ、無線通信端末及び通信方法を提供する。【解決手段】電話帳サーバ300は、端末400Bの識別子を含む第１電話帳データを取得する電話帳データ取得部310と、電話帳データ取得部310によって取得された第１電話帳データに含まれる端末400Bの位置を取得する端末位置取得部320と、端末位置取得部320によって取得された端末400Bの位置に基づいて、直接通信が可能な端末400Bの識別子を含む第２電話帳データを生成する電話帳データ生成部330と、電話帳データ生成部330によって生成された第２電話帳データを端末400Aに送信する送信部340を備える。【選択図】図２
2013229748.tif 000002
【特許請求の範囲】
【請求項１】
通信アプリケーションを実装し、無線アクセスネットワークを経由せずに他の無線通信端末との直接通信を実行可能な無線通信端末と、
前記他の無線通信端末の識別子を含み、前記無線通信端末と対応付けられている第１電話帳データを管理する電話帳サーバと
を含む通信システムであって、
前記電話帳サーバは、
前記第１電話帳データを取得する電話帳データ取得部と、
前記電話帳データ取得部によって取得された前記第１電話帳データに含まれる前記他の無線通信端末の位置を取得する端末位置取得部と、
前記端末位置取得部によって取得された前記他の無線通信端末の位置に基づいて、直接通信が可能な候補端末の識別子を含む第２電話帳データを生成する電話帳データ生成部と、
前記電話帳データ生成部によって生成された前記第２電話帳データを前記無線通信端末に送信する送信部と
を備え、
前記無線通信端末は、
前記第２電話帳データを前記電話帳サーバから受信する電話帳データ受信部と、
前記通信アプリケーションからの通信要求の通信先端末が前記第２電話帳データに前記候補端末として含まれる場合、前記通信先端末と直接通信を実行する直接通信実行部と
を備える通信システム。
【請求項２】
通信アプリケーションを実装し、無線アクセスネットワークを経由せずに他の無線通信端末との直接通信を実行可能な無線通信端末と対応付けられている第１電話帳データを管理する電話帳サーバであって、
前記他の無線通信端末の識別子を含む前記第１電話帳データを取得する電話帳データ取得部と、
前記電話帳データ取得部によって取得された前記第１電話帳データに含まれる前記他の無線通信端末の位置を取得する端末位置取得部と、
前記端末位置取得部によって取得された前記他の無線通信端末の位置に基づいて、直接通信が可能な候補端末の識別子を含む第２電話帳データを生成する電話帳データ生成部と、
前記電話帳データ生成部によって生成された前記第２電話帳データを前記無線通信端末に送信する送信部と
を備える電話帳サーバ。
【請求項３】
通信アプリケーションを実装し、無線アクセスネットワークを経由せずに他の無線通信端末との直接通信を実行可能な無線通信端末であって、
前記無線通信端末と直接通信が可能な候補端末の識別子を含む第２電話帳データを前記電話帳サーバから受信する電話帳データ受信部と、
前記通信アプリケーションからの通信要求の通信先端末が前記第２電話帳データに前記候補端末として含まれる場合、前記通信先端末と直接通信を実行する直接通信実行部と
を備える無線通信端末。
【請求項４】
前記第２電話帳データを用いて、前記直接通信が可能な前記候補端末を識別可能な電話帳を構成する電話帳構成部を備える請求項３に記載の無線通信端末。
【請求項５】
通信アプリケーションを実装し、無線アクセスネットワークを経由せずに他の無線通信端末との直接通信を実行可能な無線通信端末と、
前記他の無線通信端末の識別子を含み、前記無線通信端末と対応付けられている第１電話帳データを管理する電話帳サーバと
による通信方法であって、
前記電話帳サーバが、前記第１電話帳データを取得するステップと、
前記電話帳サーバが、取得した前記第１電話帳データに含まれる前記他の無線通信端末の位置を取得するステップと、
取得した前記他の無線通信端末の位置に基づいて、直接通信が可能な候補端末の識別子を含む第２電話帳データを生成するステップと、
前記電話帳データ生成部によって生成された前記第２電話帳データを前記無線通信端末に送信するステップと、
前記無線通信端末が、前記第２電話帳データを前記電話帳サーバから受信するステップと、
前記通信アプリケーションからの通信要求の通信先端末が前記第２電話帳データに前記候補端末として含まれる場合、前記通信先端末と直接通信を実行するステップと
を有する通信方法。
【発明の詳細な説明】
【技術分野】
【０００１】
本発明は、無線アクセスネットワークを経由せずに無線通信端末間の直接通信を実行可能な通信システム、電話帳サーバ、無線通信端末及び通信方法に関する。
【背景技術】
【０００２】
従来、無線基地局やアクセスポイントを経由することなく、複数の無線通信端末（以下、端末と適宜省略）が直接、無線通信を実行する無線通信方式、いわゆるDevice-to-Device（D2D）通信として、Bluetooth（登録商標）や無線LANのアドホックモードが知られている。このような無線方式は、比較的低い無線送信電力を用いて近距離の無線通信を実現する。このため、端末間の距離が離れている場合には、当該無線通信方式を利用することは難しい。また、このような無線通信方式は、通信事業者が管轄する無線アクセスネットワーク（例えば、UTRA(3G)、E-UTRA(LTE)またはGERAN(2G)）に比べて、その無線伝送容量が限定される。
【０００３】
そこで、通信事業者が提供する無線アクセスネットワークを用いて、D2D通信を実現することが検討されている（例えば、非特許文献１）。
【０００４】
このような無線アクセスネットワークにおいて用いられる無線アクセス技術を利用する場合、通信事業者が主管庁から認可を受けた周波数帯域を用いるため、端末は、より高い無線送信電力を出力でき、無線基地局などのネットワーク側のリソースを用いることなく、遠距離かつ大容量なD2D通信が可能となる。また、このような特徴は、震災など、無線基地局などのネットワーク側が被災している場合に特に有効と考えられる。また、通信事業者が管轄する無線アクセスネットワークにおいて用いられる周波数帯域を用いたD2D通信が実現される場合、端末に別の無線通信（例えばBluetooth（登録商標））のためのモジュールを実装することなくD2D通信が可能となり、端末コストの低廉化や小型化などのメリットがある。
【先行技術文献】
【非特許文献】
【０００５】
【非特許文献１】“Key drivers for LTE success: Services Evolution”、２０１１年９月、3GPP、インターネットURL： http://www.3gpp.org/ftp/Information/presentations/presentations_2011/2011_09_LTE_Asia/2011_LTE-Asia_3GPP_Service_evolution.pdf
【発明の概要】
【発明が解決しようとする課題】
【０００６】
しかしながら、上述した無線アクセスネットワークを用いてD2D通信を実現する場合、次のような問題がある。すなわち、端末に実装されている通信アプリケーションがD2D通信を実行しようとしても、通信先の端末とD2D通信が可能か否かを認識できないため、D2D通信を活用することができない。
【０００７】
そこで、本発明は、このような状況に鑑みてなされたものであり、端末間直接通信（D2D通信）をLTEなどの無線アクセスネットワークを用いて実行する場合に、通信アプリケーションにD2D通信が可能か否かを速やかに認識させることができる通信システム、電話帳サーバ、無線通信端末及び通信方法の提供を目的とする。
【課題を解決するための手段】
【０００８】
本発明の第１の特徴は、通信アプリケーションを実装し、無線アクセスネットワークを経由せずに他の無線通信端末との直接通信を実行可能な無線通信端末と、前記他の無線通信端末の識別子を含み、前記無線通信端末と対応付けられている第１電話帳データを管理する電話帳サーバとを含む通信システムであって、前記電話帳サーバは、前記第１電話帳データを取得する電話帳データ取得部と、前記電話帳データ取得部によって取得された前記第１電話帳データに含まれる前記他の無線通信端末の位置を取得する端末位置取得部と、前記端末位置取得部によって取得された前記他の無線通信端末の位置に基づいて、直接通信が可能な候補端末の識別子を含む第２電話帳データを生成する電話帳データ生成部と、前記電話帳データ生成部によって生成された前記第２電話帳データを前記無線通信端末に送信する送信部とを備え、前記無線通信端末は、前記第２電話帳データを前記電話帳サーバから受信する電話帳データ受信部と、前記通信アプリケーションからの通信要求の通信先端末が前記第２電話帳データに前記候補端末として含まれる場合、前記通信先端末と直接通信を実行する直接通信実行部とを備えることを要旨とする。
【０００９】
本発明の第２の特徴は、通信アプリケーションを実装し、無線アクセスネットワークを経由せずに他の無線通信端末との直接通信を実行可能な無線通信端末と対応付けられている第１電話帳データを管理する電話帳サーバであって、前記他の無線通信端末の識別子を含む前記第１電話帳データを取得する電話帳データ取得部と、前記電話帳データ取得部によって取得された前記第１電話帳データに含まれる前記他の無線通信端末の位置を取得する端末位置取得部と、前記端末位置取得部によって取得された前記他の無線通信端末の位置に基づいて、直接通信が可能な候補端末の識別子を含む第２電話帳データを生成する電話帳データ生成部と、
前記電話帳データ生成部によって生成された前記第２電話帳データを前記無線通信端末に送信する送信部とを備えることを要旨とする。
【００１０】
本発明の第３の特徴は、通信アプリケーションを実装し、無線アクセスネットワークを経由せずに他の無線通信端末との直接通信を実行可能な無線通信端末であって、前記無線通信端末と直接通信が可能な候補端末の識別子を含む第２電話帳データを前記電話帳サーバから受信する電話帳データ受信部と、前記通信アプリケーションからの通信要求の通信先端末が前記第２電話帳データに前記候補端末として含まれる場合、前記通信先端末と直接通信を実行する直接通信実行部とを備えることを要旨とする。
【００１１】
本発明の第４の特徴は、通信アプリケーションを実装し、無線アクセスネットワークを経由せずに他の無線通信端末との直接通信を実行可能な無線通信端末と、前記他の無線通信端末の識別子を含み、前記無線通信端末と対応付けられている第１電話帳データを管理する電話帳サーバとによる通信方法であって、前記電話帳サーバが、前記第１電話帳データを取得するステップと、前記電話帳サーバが、取得した前記第１電話帳データに含まれる前記他の無線通信端末の位置を取得するステップと、取得した前記他の無線通信端末の位置に基づいて、直接通信が可能な候補端末の識別子を含む第２電話帳データを生成するステップと、前記電話帳データ生成部によって生成された前記第２電話帳データを前記無線通信端末に送信するステップと、前記無線通信端末が、前記第２電話帳データを前記電話帳サーバから受信するステップと、前記通信アプリケーションからの通信要求の通信先端末が前記第２電話帳データに前記候補端末として含まれる場合、前記通信先端末と直接通信を実行するステップとを有することを要旨とする。
【発明の効果】
【００１２】
本発明の特徴によれば、無線アクセスネットワークを用いて実行する場合に、通信アプリケーションにD2D通信が可能か否かを速やかに認識させることができる通信システム、電話帳サーバ、無線通信端末及び通信方法を提供することができる。
【図面の簡単な説明】
【００１３】
【図１】本発明の実施形態に係る無線通信システム10の全体概略構成図である。
【図２】本発明の実施形態に係る電話帳サーバ300の機能ブロック構成図である。
【図３】本発明の実施形態に係る端末400Aの機能ブロック構成図である。
【図４】本発明の実施形態に係る端末400Aが電話帳データを用いて端末400Bと直接通信を実行するまでの通信シーケンスを示す図である。
【図５】本発明の変更例に係る電話帳サーバ300の機能ブロック構成図である。
【図６】本発明の変更例に係る端末400Aの機能ブロック構成図である。
【発明を実施するための形態】
【００１４】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１５】
したがって、具体的な寸法などは以下の説明を参酌して判断すべきものである。また、図面相互間においても互いの寸法の関係や比率が異なる部分が含まれていることは勿論である。
【００１６】
（１）無線通信システムの全体概略構成
図１は、本実施形態に係る無線通信システム10の全体概略構成図である。図１に示すように、無線通信システム10は、無線基地局100、通信制御装置200、電話帳サーバ300及び複数の無線通信端末400A, 400B（以下、端末400A, 400B）を含む。
【００１７】
無線基地局100は、3GPPにおいて標準化された無線アクセス技術（RAT）、例えば、Long Term Evolution（LTE）に従った動作を実行する。本実施形態では、無線基地局100は、端末400A, 400B間における直接通信を制御する。具体的には、無線基地局100は、無線基地局100を経由することなく、つまり、無線アクセスネットワークを経由することなく、端末400Aと端末400Bとの間において実行される通信を許可するか否かを示す報知情報を、無線基地局100から送信させることによって、当該直接通信を制御する。なお、端末400Aと端末400Bとの直接通信を制御する報知情報は、複数の無線基地局、例えば、無線基地局100と図示しない別の無線基地局から別々に報知されてもよい。
【００１８】
このように、無線通信システム10では、無線アクセスネットワーク側からの報知情報に基づいて、端末400Aと端末400Bとの直接通信が許可されてもよい。また、図示しない別の無線基地局からの報知情報に基づく場合、例えば、無線基地局100がカバーしないエリアにおいても、当該別の無線基地局からの報知情報に従って直接通信が許可されることがある。
【００１９】
通信制御装置200は、端末400A, 400Bの在圏情報を管理したり、端末400Aと端末400Bとが実行する通信を制御したりする。また、通信制御装置200は、電話帳サーバ300から送信された端末400A, 400Bの在圏位置の問い合わせに対して、端末400A, 400Bの在圏位置を応答する。通信制御装置200は、例えば、移動制御装置（MME）、ポリシー制御装置（PCRF）或いは加入者管理サーバ（HSS）などであってもよい。
【００２０】
電話帳サーバ300は、端末400A, 400Bと対応付けられている電話帳データを管理する。電話帳サーバ300は、端末400A, 400Bに記憶されている電話帳データと例えば定期的（月１回）な同期を実行することができる。
【００２１】
端末400A及び端末400Bは、通信アプリケーションを実装し、LTEなどの無線アクセス技術に従った無線通信を実行するUser Equipment（UE）である。端末400A（400B）は、無線基地局100を経由して端末400B（400A）と通信を実行すること、及び無線基地局100を経由せずに端末400B（400A）と直接通信を実行することができる。具体的には、端末400A, 400Bは、無線基地局100から報知された報知情報に基づいて、直接通信が実行可能か否かを判定し、所定または任意のタイミングにおいて直接通信を実行する。なお、かかる判定において、通信制御装置200から通知された情報（例えば、直接通信許可通知）を判断要素に加えてもよい。
【００２２】
（２）無線通信システムの機能ブロック構成
次に、無線通信システム10の機能ブロック構成について説明する。具体的には、電話帳サーバ300及び端末400Aの機能ブロック構成について説明する。図２は、電話帳サーバ300の機能ブロック構成図である。図３は、端末400Aの機能ブロック構成図である。
【００２３】
（２．１）電話帳サーバ300
図２に示すように、電話帳サーバ300は、電話帳データ取得部310、端末位置取得部320、電話帳データ生成部330及び送信部340を備える。
【００２４】
電話帳データ取得部310は、端末400A（端末400B）が保持している電話帳データ（第１電話帳データ）を取得する。具体的には、電話帳データ取得部310は、無線基地局100を経由して、他の無線通信端末の識別子（電話番号、URI（メールアドレス、SIP URI）、IMEI（端末識別番号）、IMSI（加入者識別番号）、S-TMSI（一時的加入者識別番号））などを含む当該電話帳データを取得する。
【００２５】
端末位置取得部320は、電話帳データ取得部310によって取得された電話帳データに含まれる他の無線通信端末（具体的には端末400B）の位置を取得する。具体的には、端末位置取得部320は、定期的に通信制御装置200に問い合わせをすることによって、通信制御装置200から当該他の無線通信端末の在圏位置を取得する。端末位置取得部320は、セル単位、セクタ単位、トラッキングエリア単位、或いはネットワーク単位などの基準、及び直接通信による無線信号の到達範囲に基づいて、他の無線通信端末が端末400Aの周辺に位置するか否かを判定することができる。
【００２６】
電話帳データ生成部330は、端末位置取得部320によって取得された当該他の無線通信端末の位置に基づいて、直接通信が可能な候補端末の識別子を含む電話帳データ（第２電話帳データ）を生成する。具体的には、電話帳データ生成部330は、端末位置取得部320によって取得された当該他の無線通信端末の位置が端末400Aの位置から所定距離の範囲内に位置する場合、当該他の無線通信端末を直接通信が可能な候補端末と判定する。電話帳データ生成部330は、候補端末と判定した無線通信端末の識別子によって構成される電話帳データを生成する。
【００２７】
送信部340は、電話帳データ生成部330によって生成された電話帳データを端末400Aに送信する。電話帳データの送信タイミングは、端末400Aの通信実行や位置登録などの通信制御を契機であってもよい。
【００２８】
（２．２）端末400A
図３に示すように、端末400Aは、電話帳データ受信部410、電話帳構成部420、通信アプリケーション430及び直接通信実行部440を備える。なお、端末400Bも端末400Aと同様の機能ブロック構成を有する。
【００２９】
電話帳データ受信部410は、電話帳サーバ300によって生成された電話帳データ（第２電話帳データ）を受信する。具体的には、電話帳データ受信部410は、無線基地局100または他のネットワーク（無線LANなど）を経由して当該電話帳データを受信する。
【００３０】
電話帳構成部420は、電話帳データ受信部410が受信した電話帳データを用いて、端末400Aと直接通信が可能な候補端末を識別可能な電話帳を構成する。具体的には、電話帳構成部420は、端末400Aが保持している電話帳データ（第１電話帳データ）において、候補端末と直接通信が可能であることを示す情報を付加する。
【００３１】
通信アプリケーション430は、端末400Aに実装される通信アプリケーションである。例えば、通信アプリケーション430は、直接通信及び無線アクセスネットワーク経由の何れでも提供可能なアプリケーションであり、例えば、音声通話やインスタントメッセージ（IM）などが挙げられる。また、通信アプリケーション430は、直接通信のみで動作するアプリケーションであってもよい。
【００３２】
直接通信実行部440は、通信アプリケーション430からの通信要求の通信先端末（例えば、端末400B）が、電話帳データ受信部410が受信した電話帳データに候補端末として含まれる場合、当該通信先端末と直接通信を実行する。
【００３３】
（３）無線通信システムの動作
次に、上述した無線通信システム10の動作について説明する。具体的には、端末400Aが電話帳サーバ300によって生成された電話帳データに基づいて、端末400Bと直接通信を実行する動作について説明する。
【００３４】
図４は、端末400Aが電話帳データを用いて端末400Bと直接通信を実行するまでの通信シーケンスを示す。図４に示すように、電話帳サーバ300と端末400Aとは、端末400Aが保持する電話帳データの同期を実行する（S10）。
【００３５】
電話帳サーバ300は、同期した電話帳データに含まれる他の端末（端末400B）が在圏しているセルなどの位置（在圏位置）を通信制御装置200に問い合わせる（S20）。通信制御装置200は、当該問い合わせに基づいて端末400Bの在圏位置を検出し、検出した端末400Bの在圏位置を電話帳サーバ300に応答する（S30）。
【００３６】
電話帳サーバ300は、通信制御装置200からの応答結果に基づいて、端末400Aと直接通信が可能な候補端末を検出する（S40）。電話帳サーバ300は、上述したように、端末400Aと端末400Bとの距離などに基づいて、直接通信が可能か否かを判定する。電話帳サーバ300は、候補端末の識別子を含む電話帳データを端末400Aに送信する（S50）。
【００３７】
端末400Aは、電話帳サーバ300から受信した電話帳データを用いて、直接通信が可能な候補端末を識別可能な電話帳を構成する（S60）。具体的には、端末400Aは、端末400Aが保持している電話帳データ（第１電話帳データ）において、候補端末と直接通信が可能であることを示す情報を付加する。
【００３８】
端末400Aは、電話帳データに基づいて端末400Bが候補端末であり、直接通信が可能であると判定し、端末400Bとの直接通信を要求する（S70）。端末400Bは、端末400Aからの直接通信の要求に対して応答（S80）し、端末400Aと端末400Bとの間において直接通信が開始される（S90）。
【００３９】
（４）作用・効果
無線通信システム10によれば、電話帳サーバ300は、無線通信端末の位置（在圏位置）に基づいて、直接通信が可能な候補端末の識別子を含む電話帳データ（第２電話帳データ）を生成する。また、端末400A（端末400B）は、通信アプリケーション430からの通信要求の通信先端末が当該電話帳データに候補端末として含まれる場合、当該通信先端末と直接通信を実行する。このため、端末間直接通信（D2D通信）をLTEなどの無線アクセスネットワークを用いて実行する場合に、通信アプリケーション430にD2D通信が可能か否かを速やかに認識させることができる。
【００４０】
すなわち、端末400Aのユーザは、D2D通信が可能な他の無線通信端末を迅速かつ容易に検索できる。また、直接通信が可能な端末が予め候補端末として絞り込まれるため、端末400Aによる不必要な端末の検索処理を回避でき、直接通信の開始までの時間や関連する処理負荷を低減できる。
【００４１】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００４２】
例えば、上述した本発明の実施形態では、位置としてセル、セクタ、トラッキングエリア、或いはネットワークの識別により端末400A（400B）の位置を取得していた。これら以外にも、当該端末から送信されるGPS（Global positioning system）情報や、端末が受信した無線LAN基地局のビーコン情報（ビーコン情報に基づいて得られる無線LAN基地局の位置情報も含む）を本発明における位置としてもよい。これらの位置に関する情報を、通信制御装置200へ送信し記憶する形態でもよいし、図示しない位置情報管理サーバへ送信し記憶する形態でもよいし、または電話帳サーバ300へ送信して電話帳サーバ300で記憶する形態でもよい。
【００４３】
すなわち、電話帳サーバ300が直接通信可能な候補端末を検出するにあたり、これらの位置に関する情報を電話帳サーバ300が利用できる形態であればよい。これらの位置に関する情報は、電話帳データの同期と同時に送信すること、端末がGPS情報や無線LAN基地局のビーコン情報を受信した時点で送信することで、任意のタイミングまたは定期的に送信すること、または電話帳サーバ300、通信制御装置200或いは位置情報管理サーバからの問い合わせに応答して送信することで、取得してもよい。
【００４４】
また、電話帳サーバ300はHSSやMMEなどと連携し、各端末の通信実行或いは位置登録などの通信制御を契機に、HSSまたはMMEが、電話帳データにおける各端末の位置情報を更新してもよい。この場合、通知頻度は所定ルール（例えば、最低10分以上通信間隔をあける）を適用し、負荷低減を図ってもよい。また、各端末が直接通信のサービスに加入しているか否かの情報を、直接通信可否の判断に加えてもよい。このような方法を適用する場合、端末400Aが保持している電話帳データ（第１電話帳データ）を入力すると、各端末の位置情報を反映した直接通信が可能な候補端末の識別子を含む電話帳データ（第２電話帳データ）が生成される。
【００４５】
例えば、上述した本発明の実施形態では、端末400Aに電話帳データが保持される例について説明したが、当該電話帳データは、電話帳サーバ300に保持するようにしてもよい。図５は、本発明の変更例に係る電話帳サーバ300の機能ブロック構成図である。
【００４６】
図５に示すように、電話帳サーバ300は、電話帳データ取得部310に代えて、電話帳データ保持部311を備える。電話帳データ保持部311は、端末400Aと対応付けられた電話帳データを保持する。端末位置取得部320、電話帳データ生成部330及び送信部340の機能は、上述した実施形態と同様である。
【００４７】
また、図６は、本発明の変更例に係る端末400Aの機能ブロック構成図である。図６に示したように電話帳データが電話帳サーバ300に保持される場合、端末400Aは、電話帳データ受信部410、通信アプリケーション430及び直接通信実行部440を備え、電話帳データ受信部410が電話帳サーバ300から受信した電話帳データを参照して、他の端末と直接通信を実行する。なお、電話帳サーバ300から端末400Aへの電話帳データの提供方法は、通信アプリケーション430からの通信要求の都度、電話帳データを提供してもよいし、端末400Aが定期的に電話帳サーバ300から電話帳データをダウンロードするようにしてもよい。
【００４８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【００４９】
また、上述した発明は、次のように表現されてもよい。本発明の第１の特徴は、通信アプリケーション430を実装し、無線アクセスネットワークを経由せずに端末400B（他の無線通信端末）との直接通信を実行可能な端末400A（無線通信端末）と、前記他の無線通信端末の識別子を含み、前記無線通信端末と対応付けられている第１電話帳データを管理する電話帳サーバ300とを含む通信システムであって、前記電話帳サーバは、前記第１電話帳データを取得する電話帳データ取得部310と、前記電話帳データ取得部によって取得された前記第１電話帳データに含まれる前記他の無線通信端末の位置を取得する端末位置取得部320と、前記端末位置取得部によって取得された前記他の無線通信端末の位置に基づいて、直接通信が可能な候補端末の識別子を含む第２電話帳データを生成する電話帳データ生成部330部と、前記電話帳データ生成部によって生成された前記第２電話帳データを前記無線通信端末に送信する送信部340とを備え、前記無線通信端末は、前記第２電話帳データを前記電話帳サーバから受信する電話帳データ受信部410と、前記通信アプリケーションからの通信要求の通信先端末が前記第２電話帳データに前記候補端末として含まれる場合、前記通信先端末と直接通信を実行する直接通信実行部440とを備えることを要旨とする。
【００５０】
本発明の第２の特徴は、通信アプリケーションを実装し、無線アクセスネットワークを経由せずに他の無線通信端末との直接通信を実行可能な無線通信端末と対応付けられている第１電話帳データを管理する電話帳サーバであって、前記他の無線通信端末の識別子を含む前記第１電話帳データを取得する電話帳データ取得部と、前記電話帳データ取得部によって取得された前記第１電話帳データに含まれる前記他の無線通信端末の位置を取得する端末位置取得部と、前記端末位置取得部によって取得された前記他の無線通信端末の位置に基づいて、直接通信が可能な候補端末の識別子を含む第２電話帳データを生成する電話帳データ生成部と、
前記電話帳データ生成部によって生成された前記第２電話帳データを前記無線通信端末に送信する送信部とを備えることを要旨とする。
【００５１】
本発明の第３の特徴は、通信アプリケーションを実装し、無線アクセスネットワークを経由せずに他の無線通信端末との直接通信を実行可能な無線通信端末であって、前記無線通信端末と直接通信が可能な候補端末の識別子を含む第２電話帳データを前記電話帳サーバから受信する電話帳データ受信部と、前記通信アプリケーションからの通信要求の通信先端末が前記第２電話帳データに前記候補端末として含まれる場合、前記通信先端末と直接通信を実行する直接通信実行部とを備えることを要旨とする。
【００５２】
本発明の第３の特徴において、前記第２電話帳データを用いて、前記直接通信が可能な前記候補端末を識別可能な電話帳を構成する電話帳構成部420を備えてもよい。
【００５３】
本発明の第４の特徴は、通信アプリケーションを実装し、無線アクセスネットワークを経由せずに他の無線通信端末との直接通信を実行可能な無線通信端末と、前記他の無線通信端末の識別子を含み、前記無線通信端末と対応付けられている第１電話帳データを管理する電話帳サーバとによる通信方法であって、前記電話帳サーバが、前記第１電話帳データを取得するステップと、前記電話帳サーバが、取得した前記第１電話帳データに含まれる前記他の無線通信端末の位置を取得するステップと、取得した前記他の無線通信端末の位置に基づいて、直接通信が可能な候補端末の識別子を含む第２電話帳データを生成するステップと、前記電話帳データ生成部によって生成された前記第２電話帳データを前記無線通信端末に送信するステップと、前記無線通信端末が、前記第２電話帳データを前記電話帳サーバから受信するステップと、前記通信アプリケーションからの通信要求の通信先端末が前記第２電話帳データに前記候補端末として含まれる場合、前記通信先端末と直接通信を実行するステップとを有することを要旨とする。
【符号の説明】
【００５４】
10…無線通信システム
100…無線基地局
200…通信制御装置
300…電話帳サーバ
310…電話帳データ取得部
311…電話帳データ保持部
320…端末位置取得部
330…電話帳データ生成部
340…送信部
400A, 400B…端末
410…電話帳データ受信部
420…電話帳構成部
430…通信アプリケーション
440…直接通信実行部
【図１】
2013229748.tif 000003
【図２】
2013229748.tif 000004
【図３】
2013229748.tif 000005
【図４】
2013229748.tif 000006
【図５】
2013229748.tif 000007
【図６】
2013229748.tif 000008